(57)【要約】  【課題】冷蔵室温度センサーで冷蔵室と冷凍室を冷却制御する冷蔵庫において、庫内温度の適正化、操作性の向上と容積効率の高い安価な冷蔵庫を提供する。  【解決手段】外気温度センサー１７によって外気温に応じて、冷蔵室温度センサー１の設定温度を変化させ圧縮機３及び送風機４の運転制御を補正することで、シャッター、温度補償用ヒータ、冷凍室用の温度センサー、冷蔵室用ダンパーサーモスタット等の高価部品を搭載しなくても、冷蔵室２や冷凍室１０の温度を適正化することができ、また操作性の向上と容積効率を高めることができる。【選択図】図１
2007139255.tif 000002
【特許請求の範囲】
【請求項１】
冷蔵室と冷凍室を有し、圧縮機と蒸発器と送風機とで前記冷蔵室と冷凍室を冷却する冷蔵庫において、前記冷蔵室内の冷蔵室温度センサーで前記圧縮機の運転制御をするとともに、冷蔵庫の周囲温度を検知する外気温度センサーにより前記圧縮機の運転制御の動作温度を補正することを特徴とする冷蔵庫。
【請求項２】
外気温度センサーの温度低下にともない前記圧縮機の運転制御の動作温度を低く設定することを特徴とする請求項１に記載の冷蔵庫。
【請求項３】
前記外気温度センサーは、圧縮機の運転を制御する制御基板上に直接配置したことを特徴とする請求項１または２に記載の冷蔵庫。
【請求項４】
前記外気温度センサーで、さらに前記送風機の回転数を調節することを特徴とする請求項１から３のいずれか一項に記載の冷蔵庫。
【請求項５】
前記外気温度センサーで外気温度に応じて、前記送風機を前記圧縮機起動より遅延させ運転することを特徴とする請求項１から４のいずれか一項に記載の冷蔵庫。
【発明の詳細な説明】
【技術分野】
【０００１】
本発明は冷蔵室の庫内温度で圧縮機の運転を制御する冷蔵庫に関するものである。
【背景技術】
【０００２】
近年、冷蔵庫を使用する環境は多様であり求められる品質は厳しいものとなっている。その一方で安価な冷蔵庫が求められており、冷凍室用の温度センサーあるいは冷蔵室の温度調節にダンパーサーモスタットを用いず、冷蔵室用温度センサーで冷蔵室と冷凍室の温調制御する圧縮機の運転を制御するものがある（例えば、特許文献１参照）。
【０００３】
以下、図面を参照しながら、上記従来の冷蔵庫について説明する。
【０００４】
図４は、特許文献１に記載された従来の冷蔵庫の扉を除去した状態の正面図であり、図５は同冷蔵庫の要部縦断面図である。
【０００５】
図４から図５において、１は冷蔵室温度センサーであり、冷蔵室２の温度変化を検知し、圧縮機３及び送風機４の運転制御をおこなう。５は冷蔵室２への冷気を供給するための冷蔵室吐出ダクト、６は冷蔵室吐出口で、７は冷蔵室２を循環した冷気を蒸発器８へ戻すための冷蔵室戻りダクトで、その入口部に開口面積を増減させるためのシャッター９が設けられている。
【０００６】
上記構成において、冷蔵室温度センサー１の温度が設定温度よりも高くなれば圧縮機３及び送風機４の運転が開始され、蒸発器８で冷却された冷気が冷蔵室吐出ダクト５を通り冷蔵室吐出口６から冷蔵室２へ送られ、冷蔵室２内を循環したあと冷蔵室戻りダクト７から蒸発器８へ戻る。そして、冷蔵室温度センサー１が設定温度以下になれば圧縮機３及び送風機４の運転が停止される。一方、冷凍室１０は圧縮機３及び送風機４の運転中、冷凍室吐出口１１から冷気が送られ、冷凍室１０内を冷却したあと、冷凍室吸込口１２から蒸発器８へと冷気が循環することで所望温度を保つようにしている。すなわち、冷凍室１０の温度変化は圧縮機３及び送風機４の運転時間の長さによって変化するように設定してある。そこで、冷凍室１０の温度をより低くしたいときは、冷蔵室戻りダクト７の入口部の開口面積が小さくなるようにシャッター９を移動させ、冷蔵室２内の冷気循環量を少なくする。その結果、圧縮機３及び送風機４の運転時間が長くなり、冷凍室１０への冷気供給量が増加することで、冷凍室１０の温度がより低くなる。以上のように、冷蔵室温度センサー１で圧縮機３及び送風機４の運転制御を行うとともに、冷蔵室戻りダクト７の入口部の開口面積をシャッター９で増減させることで冷凍室１０の温度切替をおこなっている。
【特許文献１】特開平１０−１７０１２７号公報
【発明の開示】
【発明が解決しようとする課題】
【０００７】
しかしながら、上記従来の冷蔵庫では、冷凍室の温度を適正化するために冷蔵室戻りダクトの入口部に開口面積を増減させるためのシャッターを備えなければならず、コスト面で高く、また庫内の内容積が小さくなり、また条件により使用者がシャッターの位置を操作する必要があり使い勝手が悪いという課題を有していた。
【０００８】
本発明は上記従来の課題を解決するものであり、使い勝手が向上し容積効率の高い安価な冷蔵庫を提供することを目的とする。
【課題を解決するための手段】
【０００９】
上記従来の課題を解決するために、本発明の冷蔵庫は、冷蔵室と冷凍室を有し、圧縮機と蒸発器と送風機とで前記冷蔵室と冷凍室を冷却する冷蔵庫において、前記冷蔵室内の冷蔵室温度センサーで前記圧縮機の運転制御をするとともに、冷蔵庫の周囲温度を検知する外気温度センサーにより前記圧縮機の運転制御の動作温度を補正するものである。
【００１０】
これによって、シャッター、温度補償用ヒータ、冷凍室用の温度センサー、冷蔵室用ダンパーサーモスタット等の高価部品を搭載しなくても、外気温度が低いときでも、圧縮機及び送風機の運転時間を延ばす補正制御をすることで、冷蔵室と冷凍室の温度を適正化することができる。
【発明の効果】
【００１１】
本発明の冷蔵庫は、冷蔵室内の冷蔵室温度センサーで圧縮機の運転制御をする冷蔵庫において、外気温度を検知して圧縮機及び送風機の運転制御を補正することで、冷蔵室と冷凍室の温度を適正化することができ、また高価な制御部品を搭載せず、操作性の向上と容積効率を高めることができる。
【発明を実施するための最良の形態】
【００１２】
請求項１に記載の発明は、冷蔵室と冷凍室を有し、圧縮機と蒸発器と送風機とで前記冷蔵室と冷凍室を冷却する冷蔵庫において、前記冷蔵室内の冷蔵室温度センサーで前記圧縮機の運転制御をするとともに、冷蔵庫の周囲温度を検知する外気温度センサーにより前記圧縮機の運転制御の動作温度を補正するものであり、特別な制御部品を使わずに、外気温度が低いときでも、圧縮機及び送風機の運転時間を延ばす補正制御をすることで、冷蔵室と冷凍室の温度を適正化することができ、操作性の向上と容積効率を高めることができる。
【００１３】
請求項２に記載の発明は、請求項１に記載の発明において、外気温度センサーの温度低下にともない前記圧縮機の運転制御の動作温度を低く設定するものであり、外気温度の低下に応じて適切な圧縮機の運転率を確保することができ、さらに冷凍室の温度を適正化することができる。
【００１４】
請求項３に記載の発明は、請求項１または２に記載の発明において、前記外気温度センサーは、圧縮機の運転を制御する制御基板上に直接配置したものであり、さらにコストダウンを図ることができる。
【００１５】
請求項４に記載の発明は、請求項１から３のいずれか一項に記載の発明において、前記外気温度センサーで、さらに前記送風機の回転数を調節するものであり、冷蔵室の負荷量の変化に応じた冷却風量を供給し、冷蔵室の冷却能力をさらに適正化することができる。
【００１６】
請求項５に記載の発明は、請求項１から４のいずれか一項に記載の発明において、前記外気温度センサーで外気温度に応じて、前記送風機を前記圧縮機起動より遅延させ運転するものであり、冷気風量配分が冷凍室側に多くなり、外気温度が低いときに、さらに冷凍室が適正な温度を確保することができる。
【００１７】
以下、本発明の実施の形態について、図面を参照しながら説明する。なお、この実施の形態によってこの発明が限定されるものではない。また、従来と同一構成については同一符号を付して詳細な説明は省略する。
【００１８】
（実施の形態１）
図１は本発明の実施の形態１における冷蔵庫の縦断面図、図２は同実施の形態における冷蔵庫の背面図、図３は同実施の形態における冷蔵庫の運転制御チャートである。
【００１９】
図１から図２において、１３は冷蔵庫本体を示すものであり、上段の冷蔵室２と下段の冷凍室１０とより成っている。冷凍室１０の背面部には蒸発器８を設置し、その上方には送風機４を配置、冷凍室１０の冷凍室吐出口１１と冷蔵室２の冷蔵室吐出ダクト５に分流するよう構成してある。
【００２０】
また、蒸発器８の下辺高さ１４よりも下方に冷凍室１０の冷凍室吸込口１２が配置してある。
【００２１】
また、冷蔵室２の背面部には冷蔵室温度センサー１が設置してあり圧縮機３と送風機４を動作制御している。
【００２２】
また、冷蔵庫本体１３の背面部の機械室１５内には、圧縮機３や送風機４の運転制御をする制御基板１６を設置しており、制御基板１６には外気温度を検知するための外気温度センサー１７を直接固定している。
【００２３】
以上のように構成された冷蔵庫について、以下その動作、作用を説明する。
【００２４】
冷蔵室温度センサー１の温度が設定温度よりも高くなれば圧縮機３及び送風機４の運転が開始され、蒸発器８で冷却された冷気が冷蔵室吐出ダクト５を通り冷蔵室２へ送られ、冷蔵室２内を循環したあと蒸発器８へ戻る。そして、冷蔵室温度センサー１が設定温度以下になれば圧縮機３及び送風機４の運転が停止される。
【００２５】
一方、冷凍室１０は圧縮機３及び送風機４の運転中、冷凍室吐出口１１から冷気が送られ、冷凍室１０内を冷却したあと、冷凍室吸込口１２から蒸発器８へと冷気が循環することで所望温度を保つようにしている。
【００２６】
そして、外気温度センサー１６によって外気温に応じて、冷蔵室温度センサー１の設定温度を変化させている。すなわち、外気温度が低くなると、外気温度と冷蔵室温度センサー１の温度差が小さくなり、その結果、圧縮機３及び送風機４の運転時間が短くなるが、外気温に応じて冷蔵室温度センサー１による圧縮機３の動作温度を引き下げることで、運転時間が短くなりすぎることを防ぎ、冷蔵室２及び冷凍室１０への適正な冷気供給量が確保できる。特に冷凍室１０への冷却量の増加の効果が大きく冷凍室１０の温度を所定の温度に確実に冷却できる。
【００２７】
以上のように本実施の形態においては、冷蔵室２と冷凍室１０を有し、圧縮機３と蒸発器８と送風機４とで冷蔵室２と冷凍室１０を冷却する冷蔵庫において、冷蔵室内の冷蔵室温度センサー１で圧縮機３の運転制御をするとともに、冷蔵庫の周囲温度を検知する外気温度センサー１７により圧縮機３の運転制御の動作温度を補正するものであり、特別な制御部品を使わずに、外気温度が低いときでも、圧縮機及び送風機の運転時間を延ばす補正制御をすることで、冷蔵室と冷凍室の温度を適正化することができ、操作性の向上と容積効率を高めることができる。
【００２８】
また、外気温度センサー１７の温度低下にともない圧縮機３の運転制御の動作温度を低く設定することにより、外気温度の低下に応じて適切な圧縮機３の運転率を確保することができ、さらに冷凍室１０の温度を適正化することができる。
【００２９】
また、外気温度センサー１７で外気温度に応じて、送風機４の回転数を調節することにより冷蔵室２の負荷量の変化に応じた冷却風量を供給し、冷蔵室２の冷却能力をさらに適正化することができる。ドア開閉などで庫内負荷量が増大し、庫内温度が上昇し、冷蔵室温度センサー１や外気温度センサー１７がある温度以上になると、送風機４は高回転となり、風量を増加することで庫内の温度上昇を抑制することができる。また、ドア開閉が少なかったり外気温度が低いときなど冷蔵室温度センサー１や外気温度センサー１７がある温度以下の場合は、送風機４は低回転となり、冷蔵室２へ供給される冷気量を少なくすることで、圧縮機３および送風機の運転率を上げ、冷凍室の温度を適正にすることができる。
【００３０】
また、外気温度センサー１７で外気温度に応じて、送風機４を圧縮機３起動後遅延させ運転することにより、冷気風量配分が冷凍室１０側に多くなり、全外気温度帯において冷蔵室２温度をプラス温度に保ちながら冷凍室１０の温度を冷凍食品が保存できる温度に低減させることができる。冷蔵室２の庫内温度が上昇すると冷蔵室温度センサー１や外気温度センサー１７が作動して圧縮機３を起動させる。圧縮機３の起動により冷媒がシステム内を循環して蒸発器８が冷却されるが、送風機４が起動していないため冷却された冷気は蒸発器８より高い位置にある冷蔵室２の冷蔵室吐出ダクト５及び冷凍室１０の冷凍室吐出口１１から冷気が供給することができず、蒸発器８の下辺高さ１４より下方に位置する冷凍室吸込口１２から自然対流し冷凍室１０を冷却する。自然対流により冷却した冷気は極低温であり短時間で冷凍室１０を予備冷却することができる。圧縮機３起動後、任意に設定した遅延時間が経過すると送風機４を起動させて、冷蔵室２の冷蔵室吐出ダクト５及び冷凍室１０の冷凍室吐出口１１に冷気を供給して冷凍室１０を継続冷却しながら冷蔵室２の冷却を開始する。冷蔵室２の庫内温度が低下すると冷蔵室温度センサー１が動作して圧縮機３と送風機４を停止させる。特に低外気温時（５℃前後）には冷蔵室２の温度を食品凍結しない温度に維持しながら、冷凍室１０の温度を冷凍食品が保管できる温度まで低下させることが可能となる。
【００３１】
また、外気温度センサー１７は、圧縮機３の運転を制御する制御基板１６に直接配置しているので、さらにコストダウンを図ることができる。
【産業上の利用可能性】
【００３２】
以上のように、本発明にかかる冷蔵庫は、高価な制御部品を搭載しなくても全外気温度帯において冷蔵室を過冷させることなく冷凍室温度を低減できるもので冷凍冷蔵機器全般の用途にも適用できる。
【図面の簡単な説明】
【００３３】
【図１】本発明の実施の形態１における冷蔵庫の縦断面図
【図２】同実施の形態における冷蔵庫の背面図
【図３】同実施の形態における冷蔵庫の運転制御チャート
【図４】従来の冷蔵庫の扉を除去した状態の正面図
【図５】従来の冷蔵庫の要部縦断面図
【符号の説明】
【００３４】
１    冷蔵室温度センサー
２    冷蔵室
３    圧縮機
４    送風機
８    蒸発器
１０  冷凍室
１３  冷蔵庫本体
１６  制御基板
１７  外気温度センサー
【図１】
2007139255.tif 000003
【図２】
2007139255.tif 000004
【図３】
2007139255.tif 000005
【図４】
2007139255.tif 000006
【図５】
2007139255.tif 000007